(57)【特許請求の範囲】
【請求項１】
商用交流電源に着脱自在に接続する着脱コネクタと、着脱コネクタに直列に接続した第一の負荷と整流回路を有する電流供給回路と、電流供給回路の両端に接続した切り替えスイッチと、切り替えスイッチ間に接続した電池の直列回路と、前記切り替えスイッチの出力側に接続した第二の負荷とを備え、前記切り替えスイッチは、前記着脱コネクタを商用交流電源に接続している状態では、第二の負荷が整流回路の出力によって駆動されるよう接続し、前記着脱コネクタを商用交流電源から取り外している場合には、前記第二の負荷が前記電池から電流の供給を受けるように接続し商用交流電源とは絶縁した状態で前記電池の取り替えができるようにしたコードレス機器。
【請求項２】
切り替えスイッチを電気的に駆動する駆動回路を備えた請求項１記載のコードレス機器。
【請求項３】
駆動回路は電源検知部の信号を受けて駆動する請求項２記載のコードレス機器。
【請求項４】
駆動回路は開閉検知機能付き電池ボックスの信号を受けて駆動する請求項２記載のコードレス機器。
【請求項５】
商用交流電源に着脱自在に接続する着脱コネクタと、着脱コネクタに直列に接続した第一の負荷及び絶縁トランスと、絶縁トランスの二次側に接続した整流回路とを有する電流供給回路と、電流供給回路の両端に接続した切り替えスイッチと、切り替えスイッチ間に接続した電池の直列回路と、前記切り替えスイッチの出力側に接続した第二の負荷とを備え、前記切り替えスイッチは、前記着脱コネクタを商用交流電源に接続している状態では、第二の負荷が整流回路の出力によって駆動されるよう接続し、前記着脱コネクタを商用交流電源から取り外している場合には、前記第二の負荷が前記電池から電流の供給を受けるように接続し商用交流電源とは絶縁した状態で前記電池の取り替えができるようにしたコードレス機器。
【発明の詳細な説明】
【０００１】
【産業上の利用分野】
本発明は、使用時に電源コードを取り外した状態で使用できるコードレス機器に関するものである。
【０００２】
【従来の技術】
コードレス機器として従来使用されているジャーポットの電気回路を図６に示している。商用交流電源１１に対して着脱自在とした着脱コネクタ１０を介して、第一の負荷１２であるヒータと、整流回路１４とからなる電流供給回路１５を接続している。整流回路１４の出力には、電池の直列回路を有している電池ボックス１６とダイオード１８の直列体と、第二の負荷１３である電気回路を接続している。この第一の負荷１２は、ジャーポットに設けている保温用のヒータとなっている。また第二の負荷１３は、ジャーポットに設けている小型ポンプに電流を供給する電気回路としているものである。
【０００３】
以下このコードレス機器の動作を説明する。着脱コネクタ１０を商用交流電源１１に接続すると、商用交流電源１１の電圧が第一の負荷１２によって減圧され、整流回路１４に印可される。整流回路１４はこの電圧を直流に整流して、電池１７と第二の負荷１３とに電流を供給する。電池１７の充電が十分なされている状態で着脱コネクタ１０を商用交流電源１１から取り外すと、第二の負荷１３への電流供給は電池１７から実行される。こうしてジャーポットは、保温時の給湯をコードレスで実行できるものである。
【０００４】
【発明が解決しようとする課題】
前記従来の構成のコードレス機器は、電池１７を交換する場合に感電の可能性を有している。つまり、着脱コネクタ１０を商用交流電源１１に接続している状態では、電池１７の負極が商用交流電源１１の一端に接続されているものである。
【０００５】
本発明はこのような従来の構成が有している課題を解決するもので、安全に電池を交換することができるコードレス機器を提供することを第一の目的としている。また、前記第一の目的を達成するための第二〜第五の手段を提供することを、第二〜第五の目的としている。
【０００６】
【課題を解決するための手段】
第一の目的を達成するための本発明の第一の手段は、商用交流電源に着脱自在に接続する着脱コネクタと、着脱コネクタに直列に接続した第一の負荷と整流回路を有する電流供給回路と、電流供給回路の両端に接続した切り替えスイッチと、切り替えスイッチ間に接続した電池の直列回路と、前記切り替えスイッチの出力側に接続した第二の負荷とを備え、前記切り替えスイッチは、前記着脱コネクタを商用交流電源に接続している状態では、第二の負荷が整流回路の出力によって駆動されるよう接続し、前記着脱コネクタを商用交流電源から取り外している場合には、前記第二の負荷が前記電池から電流の供給を受けるように接続し商用交流電源とは絶縁した状態で前記電池の取り替えができるようにしたコードレス機器とするものである。
【０００７】
第二の目的を達成するための本発明の第二の手段は、特に、切り替えスイッチを電気的に駆動する駆動回路を備えたコードレス機器としているものである。
【０００８】
また第三の目的を達成するための第三の手段は、特に、駆動回路は電源検知部の信号を受けて駆動するコードレス機器としているものである。
【０００９】
更に第四の目的を達成するための本発明の第四の手段は、特に、駆動回路は開閉検知機能付き電池ボックスの信号を受けて駆動するコードレス機器としているものである。
【００１０】
また第五の目的を達成するための本発明の第五の手段は、商用交流電源に着脱自在に接続する着脱コネクタと、着脱コネクタに直列に接続した第一の負荷及び絶縁トランスと、絶縁トランスの二次側に接続した整流回路とを有する電流供給回路と、電流供給回路の両端に接続した切り替えスイッチと、切り替えスイッチ間に接続した電池の直列回路と、前記切り替えスイッチの出力側に接続した第二の負荷とを備え、前記切り替えスイッチは、前記着脱コネクタを商用交流電源に接続している状態では、第二の負荷が整流回路の出力によって駆動されるよう接続し、前記着脱コネクタを商用交流電源から取り外している場合には、前記第二の負荷が前記電池から電流の供給を受けるように接続し商用交流電源とは絶縁した状態で前記電池の取り替えができるようにしたコードレス機器とするものである。
【００１１】
【作用】
本発明の第一の手段は、整流回路の出力の両端に接続した切り替えスイッチを電池の交換時に切ることによって、電池の交換が安全にできるコードレス機器として作用するものである。
【００１２】
本発明の第二の手段は、電池の交換時には駆動回路を作動させて切り替えスイッチを電気的に切るコードレス機器としているものである。
【００１３】
また本発明の第三の手段は、電源検知部が着脱プラグの接続を検知している状態では駆動回路が切り替えスイッチを電気的に切るようにして、電池の交換が安全にできるコードレス機器としているものである。
【００１４】
本発明の第四の手段は、開閉検知機能付き電池ボックスが電池ボックスの開閉を検知し、電池ボックスが開いている場合に駆動回路が切り替えスイッチを電気的に切るようにして、電池の交換が安全にできるコードレス機器としているものである。
【００１５】
更に本発明の第五の手段は、絶縁トランスによって電池側を商用交流電源側と絶縁した構成として、電池の交換が安全にできるコードレス機器としているものである。
【００１６】
【実施例】
以下本発明の第一の実施例について、図１に基づいて説明する。本実施例はコードレス給湯が可能なジャーポットについてのものである。２０は商用交流電源２１に着脱自在とした着脱コネクタで、ジャーポットに使用している７０Ｗの保温ヒータを使用した第一の負荷２２と、全波の整流回路２４とともに電流供給回路２５を構成している。前記第一の負荷２２と整流回路２４とは、直列に接続しているものである。電流供給回路２５の出力には、すなわち整流回路２４の出力には、整流回路２４の出力の両端に接続した切り替えスイッチ２８を介して、電池ボックス２６と第二の負荷２３とを接続している。すなわち切り替えスイッチ２８の共通端子２８ａ間には第二の負荷２３を、端子２８ｃ間には電池ボックス２６を、また端子２８ｂには整流回路２４の出力端子を接続している。電池ボックス２６内には、電池２７の直列接続体を挿入している。なお本実施例では電池２７として乾電池を使用している。
【００１７】
以下本実施例の動作について説明する。着脱コネクタ２０を商用交流電源２１に接続している状態では、第一の負荷２２によって商用交流電源２１が適切な大きさに降圧され、整流回路２４に印加される。整流回路２４はこの交流電圧を直流に変換して、整流回路２４の両端に設けている切り替えスイッチ２８の端子２８ｂに出力している。切り替えスイッチ２８の端子２８ａは、共通端子となっており第二の負荷２３を接続している。また切り替えスイッチ２８の端子２８ｃ間には、電池２７の直列体を接続した電池ボックス２６を接続している。切り替えスイッチ２８は、常時は共通端子２８ａの接続を端子２８ｂ側としている。この状態では第二の負荷２３は、整流回路２４の出力によって駆動されるものである。
【００１８】
着脱コネクタ２０を商用交流電源２１から取り外している場合には、切り替えスイッチ２８の接続は、共通端子２８の接続を端子２８ｃ側としている。つまり本実施例のジャーポットをコードレスで使用している場合には、第二の負荷２３は電池２７から電流の供給を受けるようになっているものである。
【００１９】
こうして本実施例のジャーポットは、コードレスでもコードありの状態ででも使用できるものである。
【００２０】
特に本実施例においては電池２８が消耗した場合には、切り替えスイッチ２８の端子２８ｃの接続を端子２８ａ側として、商用交流電源２１とは絶縁した状態で取り替えることができるようにしているものである。つまり、電池２８の交換に際して感電等のおそれがないようにしているものである。
【００２１】
次に本発明の第二の実施例について、図２に基づいて説明する。本実施例では切り替えスイッチ２８の駆動を駆動回路３１によって実行するようにしている。駆動回路３１はリレーコイルを含んでおり、リレーコイルの通電によって共通端子２８ａの接続を端子２８ｂ側あるいは端子２８ｃ側に切り替えることができるようになっているものである。
【００２２】
以上の構成によって、切り替えスイッチ２８の切り替え駆動を駆動回路３１によって簡単に実行できるものである。つまり電池２７を交換する場合には、駆動回路３１を駆動して、共通端子２８ａの接続を端子２８ｃ側に切り替えるものである。この切り替えによって、電池２７は商用交流電源２１から絶縁されたものとなり、電池２７を感電のおそれなく取り替えることができるものである。
【００２３】
続いて本発明の第三の実施例について図３に基づいて説明する。本実施例では、駆動回路３１は電源検知部３２の信号によって駆動されるようになっているものである。電源検知部３２は、着脱コネクタ２０が商用交流電源２１から取り外されていることを、あるいは商用交流電源２１に接続されていることを検知しているものである。
【００２４】
以下本実施例の動作について説明する。着脱コネクタ２０を商用交流電源２０から取り外すと、電源検知部３２はこの状態を検知して駆動回路３１にこの信号を伝達する。駆動回路３１はこの信号を受けると、切り替えスイッチ２８の端子２８Ｃを共通端子２８ａ側に接続するものである。従って第二の負荷２３は、電池２７から電流の供給を受けるものである。また使用者が電池２７を交換する場合も、この端子２８Ｃを共通端子２８ａ側に接続した状態で行うようにして、電池２７を感電のおそれなく取り替えることができるものである。
【００２５】
次に本発明の第四の実施例について、図４に基づいて説明する。本実施例では、駆動回路３１は開閉検知機能付き電池ボックス４６の信号によって駆動されるようになっているものである。
【００２６】
以上の構成で、使用者が電池２７の交換に為に開閉検知機能付き電池ボックス４６を開けると、この信号が駆動回路３１に伝達されて、駆動回路３１が切り替えスイッチ２８の接続を変更するものである。つまり、切り替えスイッチ２８の端子２８ｃを共通端子２８ａに接続しているものである。こうして前記各実施例と同様、電池２７の交換を安全にできるものである。
【００２７】
次に本発明の第五の実施例について、図５に基づいて説明する。本実施例では、商用電源２１の電圧を第一の負荷２２・絶縁トランス５１を介して、整流回路２４に接続しているものである。つまり整流回路２４は、絶縁トランス５１の二次側を接続しているものである。こうして、整流回路２４の出力側に電池２７・第二の負荷２３を接続しているものである。
【００２８】
以下本実施例の動作について説明する。本実施例によれば絶縁トランス５１を設けているため、電池２６には商用交流電源２１の電圧がかかっていないため、電池２６の交換は安全に実行できるものである。
【００２９】
以上の各実施例は、コードレス給湯が可能なジャーポットについてのものとしているが特にジャーポットに限定する必要はないものである。また、本発明の第一の実施例・第二の実施例・第三の実施例・第四の実施例をそれぞれ組み合わせて使用することもできるものである。当然この場合は、各実施例が有している効果を併せ持つことができるものとなる。
【００３０】
【発明の効果】
本発明の第一の手段は、商用交流電源に着脱自在に接続する着脱コネクタと、着脱コネクタに直列に接続した第一の負荷と整流回路を有する電流供給回路と、電流供給回路の両端に接続した切り替えスイッチと、切り替えスイッチ間に接続した電池の直列回路と、前記切り替えスイッチの出力側に接続した第二の負荷とを備え、前記切り替えスイッチは、前記着脱コネクタを商用交流電源に接続している状態では、第二の負荷が整流回路の出力によって駆動されるよう接続し、前記着脱コネクタを商用交流電源から取り外している場合には、前記第二の負荷が前記電池から電流の供給を受けるように接続し商用交流電源とは絶縁した状態で前記電池の取り替えができるようにした構成として、安全に電池を交換することができるコードレス機器を実現するものである。
【００３１】
本発明の第二の手段は、特に切り替えスイッチを電気的に駆動する駆動回路を備えた構成として、電池の交換時には駆動回路を作動させて切り替えスイッチを電気的に切ることができる、安全に電池を交換することができるコードレス機器を実現するものである。
【００３２】
本発明の第三の手段は、特に駆動回路は電源検知部の信号を受けて駆動する構成として、電源検知部が着脱プラグの接続を検知している状態では駆動回路が切り替えスイッチを電気的に切るようにして、電池の交換が安全にできるコードレス機器を実現するものである。
【００３３】
また本発明の第四の手段は、駆動回路は開閉検知機能付き電池ボックスの信号を受けて駆動する構成として、開閉検知機能付き電池ボックスが電池ボックスの開閉を検知し、電池ボックスが開いている場合に駆動回路が切り替えスイッチを電気的に切るようにして、電池の交換が安全にできるコードレス機器を実現するものである。
【００３４】
更に本発明の第五の手段は、商用交流電源に着脱自在に接続する着脱コネクタと、着脱コネクタに直列に接続した第一の負荷及び絶縁トランスと、絶縁トランスの二次側に接続した整流回路とを有する電流供給回路と、電流供給回路の両端に接続した切り替えスイッチと、切り替えスイッチ間に接続した電池の直列回路と、前記切り替えスイッチの出力側に接続した第二の負荷とを備えた構成として、絶縁トランスによって電池側を商用交流電源側と絶縁し、前記切り替えスイッチは、前記着脱コネクタを商用交流電源に接続している状態では、第二の負荷が整流回路の出力によって駆動されるよう接続し、前記着脱コネクタを商用交流電源から取り外している場合には、前記第二の負荷が前記電池から電流の供給を受けるように接続し商用交流電源とは絶縁した状態で前記電池の取り替えができるようにした構成とし、電池の交換が安全にできるコードレス機器を実現するものである。
【図面の簡単な説明】
【図１】本発明の第一の実施例におけるコードレス機器の回路を示す回路図
【図２】同、第二の実施例におけるコードレス機器の回路を示す回路図
【図３】同、第三の実施例におけるコードレス機器の回路を示す回路図
【図４】同、第四の実施例におけるコードレス機器の回路を示す回路図
【図５】同、第五の実施例におけるコードレス機器の回路を示す回路図
【図６】従来の技術におけるコードレス機器の回路図
【符号の説明】
２０  着脱コネクタ
２１  商用交流電源
２２  第一の負荷
２３  第二の負荷
２４  整流回路
２５  電流供給回路
２６  電池ボックス
２７  電池
２８  切り替えスイッチ
３１  駆動回路
３２  電源検知部
４６  開閉検知機能付き電池ボックス
【図１】
0003552323.tif 000002
【図２】
0003552323.tif 000003
【図３】
0003552323.tif 000004
【図４】
0003552323.tif 000005
【図５】
0003552323.tif 000006
【図６】
0003552323.tif 000007